(57)【要約】　　　（修正有）【課題】安定して取付けられ、簡単な構造で安く製作出来、コンパクトに収まって携帯に便利な前掛け式メガネフレームの提供。【解決手段】フロントフレームの連結部材両サイドに磁石１８，１８を取着し、同じく前掛けフレームの連結部材２は中央に継手１２を設けて折畳み可能にすると共に両サイドに磁石６，６を設けている。前掛けフレームをフロントフレームに取付ける場合には、フロントフレームの連結部材１４の上に前掛けフレームの連結部材２を載置すると共に互いに磁石１８，６によって引き合い、そして前掛けフレームの連結部材２には前ガイド７及び後ガイド９を設けてフロントフレームの連結部材１４を嵌合凹部１０に嵌めるようにしている。【選択図】　　図１
0003098941.tif 000002
【実用新案登録請求の範囲】
【請求項１】
メガネのフロントフレーム正面に前掛けフレームを着脱自在に取付けて成る前掛け式メガネフレームにおいて、フロントフレームの連結部材両サイドに磁石を取着し、同じく前掛けフレームの連結部材は中央に継手を設けて折畳み可能にすると共に両サイドに磁石を設け、前掛けフレームをフロントフレームに取付ける場合には、フロントフレームの連結部材の上に前掛けフレームの連結部材を載置すると共に互いに磁石によって引き合い、そして前掛けフレームの連結部材には前ガイド及び後ガイドを設けてフロントフレームの連結部材を嵌合凹部に嵌めるようにしたことを特徴とする前掛け式メガネフレーム。
【請求項２】
前掛けフレームの止着部は前止着片と後止着片を有し、前後止着片の間にレンズを挟み込んでネジ止め又は接着剤によって固着した請求項１記載の前掛け式メガネフレーム。
【考案の詳細な説明】
【０００１】
【考案の属する技術分野】
本考案は、前掛けフレームをメガネのフロントフレームの正面に安定して取付けることが出来る前掛け式メガネフレームに関するものである。
【０００２】
【従来の技術】
従来においても、メガネのフロントフレームに前掛けフレームを取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフレームを取付けたり、近眼用のメガネに老眼用レンズを入れた前掛けフレームを使用するといった具合である。
【０００３】
ところで、従来型式の前掛けフレームを備えたメガネフレームには幾つかの問題がある。その１つは取付け構造が複雑である為に製作コストが高くなると共に、嵌合状態があまくなってガタ付きを生じ、前掛けフレームが安定しないと言った点である。その為に、前掛けフレームがメガネのフロントフレームに接触してキズが付き、時には該前掛けフレームが外れてしまうこともある。
【０００４】
図６は従来多用されている前掛け式メガネフレームを示し、（ａ）はメガネフレーム、（ｂ）は上記メガネフレーム（イ）のフロントフレーム（ハ）に取付けられる前掛けフレーム（ロ）を表している。フロントフレーム（ハ）の両側に設けているヨロイ（ニ）、（ニ）には磁石（ホ）、（ホ）が取着され、前掛けフレーム（ロ）の両側に設けているヨロイ（ヘ）、（ヘ）にも同じく磁石（ト）、（ト）を有している。
【０００５】
そこで、上記前掛けフレーム（ロ）はフロントフレーム（ハ）の正面に重ね合わされ、磁石（ホ）に磁石（ト）が引き付けられて取着される。勿論、磁石（ホ）、（ト）を介して取付けられる前掛けフレームが位置ズレしないように何らかの工夫はされている。実用新案登録第３０８１２７１号に係る「めがね」はこの前掛け式メガネフレームに相当する。
【０００６】
又、特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。このように、従来の構造では前掛け式メガネフレームのフロントフレームは特別な構造と成ってしまい、製作費が高くなってしまう。一方、前掛けフレームは常に必要な訳ではなく、使用しない時には何かのケースに入れて携帯している。その為に、携帯する前掛けフレームが嵩張ることで不便を感じることが多い。
【０００７】
【考案が解決しようとする課題】
このように、従来の前掛け式メガネフレームには上記のごとき問題がある。本考案が解決しようとする課題はこの問題点であり、前掛けフレームがガタ付かないように安定して取付けられてフロントフレームに接してキズを付けることなく、又前掛けフレームが外れ落ちることなく、そして簡単な構造にて安く製作出来、一方においてはコンパクトに収まって携帯が便利な前掛け式メガネフレームを提供する。
【０００８】
【課題を解決する為の手段】
本考案に係る前掛け式メガネフレームは、前掛けフレームをメガネのフロントフレームの正面に取付け可能な構造とし、不要な場合には取外し出来るものであり、その基本的な作用は従来と共通する。そして前掛けフレームを取付ける手段には磁石が用いられ、フロントフレームに掛けられた前掛けフレームは磁石の磁気力にて所定の位置に外れないで取付けられる。
【０００９】
ところで、本考案ではフロントフレームの連結部材（ブリッジ）の両端部に磁石を設け、前掛けフレームの連結部材（ブリッジ）の両端部にも磁石を備えている。したがって、前掛けフレームをフロントフレームに重ね合わせるならば、前掛けフレームの磁石はフロントフレームの磁石の上に載置されると共に、互いに引き合って固定される。
【００１０】
そして、前掛けフレームの連結部材の下側にはガイドを設け、フロントフレームの連結部材に前掛けフレームの連結部材を載置する場合、前掛けフレームはフロントフレームに正しく装着され、同時に両磁石によって前掛けフレームは固定される。ここで、フロントフレーム及び前掛けフレームの形態は自由である。一方、前掛けフレームは２つ折り出来るように、連結部材は中間に継手を設けて折畳み可能な構造と成っている。以下、本考案に係る実施例を図面に基づいて詳細に説明する。
【００１１】
【実施例】
図１は本考案の前掛けフレームを示している実施例であり、（ａ）は平面図、　（ｂ）は正面図、（ｃ）は中央連結部の背面図、（ｄ）はＡ−Ａ断面拡大図、　（ｅ）はＢ−Ｂ断面拡大をそれぞれ表わしている。該前掛けフレームは両レン　ズ１，１が連結部材２によって連結されているが、レンズ１，１はリムに嵌る　ことなく連結部材２の両サイドに直接ネジ止めされている。連結部材２はその　両側に止着部３，３を有し、止着部３，３はレンズ１，１を挟み込んで固定し　ている。上記止着部３は前止着片４と後止着片５から成って、前後止着片４，　５の間にレンズ１の内側部が挟み込まれて固定されている。
【００１２】
ここで、レンズ１はサングラスとしたり、又は度付きの矯正レンズを用いることもある。そして、前後止着片４，５にて挟み込むだけではレンズ１が位置ズレしたり、外れる虞れがある為に、接着剤によって固着される。
【００１３】
そしてレンズ１，１を繋いでいる連結部材２の両端部には磁石６，６が設けられている。連結部材２はその両端部を後方へ突出し、この凸部８，８に磁石６，６を設け、この凸部８，８に形成した穴に磁石６，６が嵌合している。そして、連結部材２には前ガイド７と後ガイド９を下方へ延ばしている。
【００１４】
図１（ｄ），（ｅ）には、（ａ）におけるＡ−Ａ断面拡大図及びＢ−Ｂ断面拡大図を示しているように、前後ガイド７、９を形成することで、嵌合凹部１０が形成されている。そして、前掛けフレームの連結部材２はその中央に継手が設けられ、両連結部１１ａ，１１ｂが継手１２によって連結して構成され、しかも連結部材２は継手１２を介して２つ折り可能な構造となっている。図２は前掛けフレームが折畳まれた状態を示しているが、このように前掛けフレームが折畳まれることでコンパクト化され、携帯に便利である。
【００１５】
図３は前掛けフレームが取付けられるメガネフレームを表わしている。このメガネのフロントフレームは一般のメガネとほぼ共通していて、両リム１３，１３は連結部材１４にロウ付け・固定され、リム１３，１３の外側にはヨロイ１５，１５がロウ付け・固定されている。そしてヨロイ１５，１５の先端には蝶番継手１６，１６を介してツル１７，１７が折畳み出来るように取付けられている。
【００１６】
ところで、両リム１３，１３を連結している連結部材１４の両サイドには穴が形成され、この穴に磁石１８，１８が嵌って取着されている。磁石１８，１８は連結部材１４の上面と同一面を成し、前掛けフレームの連結部材２は、該フロントフレームの連結部材１４に載置される。そして、フロントフレーム及び前掛けフレームの夫々に設けている磁石６，１８が互いに引き合って前掛けフレームはフロントフレームに取付けられる。
【００１７】
図４は前掛けフレームをメガネのフロントフレームに取付けた場合を示している。前掛けフレームを取付ける場合、その連結部材２はフロントフレームの連結部材１４の上に載置されることになるが、前掛けフレームの連結部材２は図１（ｄ），（ｅ）に示しているように、前ガイド７と後ガイド９を下方へ延ばすと共に、間には嵌合凹部１０を形成している。そこで、連結部材２が連結部材１４に載置されるならば、連結部材１４は嵌合凹部１０に嵌合して位置決めされ、前掛けフレームはフロントフレームに正しく位置決めされて取付けられる。そして、前掛けフレームのレンズ１，１はフロントフレームのリム１３，１３に嵌っているレンズ１９，１９と重なり合って、両レンズ１，１９を通して見ることが出来る。
【００１８】
図５は前掛けフレームの連結部材２がフロントフレームの連結部材１４に載置されている断面拡大図であるが、このように、連結部材２に形成した前ガイド７と後ガイド９によって連結部材１４を挟み込んで位置決めされる。そして、連結部材２及び連結部材１４に固定して磁石６と磁石１８とが互いに引き合うことで前掛けフレームは位置ズレすることなく安定して取付けられる。
【００１９】
以上述べたように、本考案の前掛け式メガネフレームは磁石を介して前掛けフレームを取付け、前掛けフレームの連結部材には継手を設けると共にガイドを形成したものであり、次のような効果を得ることが出来る。
【００２０】
【発明の効果】
本発明の前掛け式メガネフレームは、前掛けフレームをフロントフレームの正面に磁石を介して取付けるものであるが、取付けた前掛けフレームは位置ズレすることなく定位置に安定して取付けられ、フロントフレームに接触してキズ付けることはない。すなわち、フロントフレーム及び前掛けフレームの中央連結部材には磁石を設けていると共に、前掛けフレームに形成したガイドがフロントフレームの連結部材を挟み込むことが出来る。そして、前掛けフレームの連結部材は、中央に継手を設けていて折畳むことが出来る為に、前掛けフレームはコンパクト化され、携帯が便利となる。
【図面の簡単な説明】
【図１】本考案の前掛けフレームを示す具体例。
【図２】前掛けフレームが折畳まれた場合。
【図３】前掛けフレームが取付けられるメガネフレーム。
【図４】前掛けフレームをフロントフレームに取付けた場合。
【図５】フロントフレームの連結部材に前掛けフレームの連結部材が載置された場合の断面拡大図。
【図６】従来の前掛け式メガネフレーム。
【符号の説明】
１　レンズ
２　連結部材
３　止着部
４　前止着片
５　後止着片
６　磁石
７　前ガイド
８　凸部
９　後ガイド
１０　嵌合凹部
１１　連結部
１２　継手
１３　リム
１４　連結部材
１５　ヨロイ
１６　継手
１７　　ツル
１８　磁石
【図１】
0003098941.tif 000003
【図２】
0003098941.tif 000004
【図３】
0003098941.tif 000005
【図４】
0003098941.tif 000006
【図５】
0003098941.tif 000007
【図６】
0003098941.tif 000008